【手続補正書】
【提出日】平成20年6月16日(2008.6.16)
【手続補正１】
【補正対象書類名】特許請求の範囲
【補正対象項目名】全文
【補正方法】変更
【補正の内容】
【特許請求の範囲】
【請求項１】
予め順位が付された複数の表示項目を記憶する項目記憶手段と、 
前記項目記憶手段によって記憶されている表示項目のうち、所定の数の表示項目を表示する記憶性液晶の表示画面と、 
前記表示画面に現在表示されている表示項目以外の表示項目である新表示項目を表示する場合、新表示項目の表示位置に基づいて、前記表示画面を部分的に書き替えて新表示項目及び新表示項目と新表示項目が表示される以前に表示されていた表示項目との境界を示すマークを前記表示画面に表示する項目表示手段と、を備え 
前記項目表示手段は、前記項目記憶手段に記憶されている表示項目のうち最下位の順位が付された表示項目が表示されている場合と、最下位の順位が付された表示項目が表示されていない場合とで前記マークの形状を異ならしめることを特徴とする画像表示装置。 
【請求項２】
前記項目表示手段は、前記表示画面上に現在表示されている表示項目のうち前記順位が最上位の表示項目または最下位の表示項目と隣接する表示項目の表示位置にマークを表示させ、新表示項目を表示する場合、マークが表示されている位置に新表示項目を表示させると共に、新表示項目の表示後に表示されている表示項目のうち前記順位が最上位の表示項目または最下位の表示項目と隣接する表示項目の表示位置に前記マークを表示することを特徴とする請求項１に記載の画像表示装置。 
【請求項３】
前記項目表示手段は、新表示項目の順位が先に表示されていた表示項目の全てよりも上位であった場合には、新表示項目の直上または前記表示画面に表示されている表示項目の先頭に前記マークを表示することを特徴とする請求項１または２に記載の画像表示装置。
【請求項４】
前記項目表示手段は、新表示項目の順位が先に表示されていた表示項目の全てよりも下位であった場合には、新表示項目の直下の表示位置または前記表示画面に表示されている表示項目の先頭の表示位置に前記マークを表示することを特徴とする請求項１から３のいずれか１項に記載の画像表示装置。 
【請求項５】
前記項目表示手段は、前記マークと共に、前記表示項目を選択するためのカーソルを表示し、当該カーソルの表示位置を前記マークの表示位置と連動して移動させることを特徴
とする請求項１から４のいずれか１項に記載の画像表示装置。 
【請求項６】
前記項目表示手段は、前記表示画面における表示可能な範囲の端部に前記カーソルが表示されている場合を除き、カーソルをはさんで表示される選択可能な少なくとも２つの表示項目と共にカーソルを表示することを特徴とする請求項１から５のいずれか１項に記載の画像表示装置。 
【請求項７】
コンピュータに、
予め順位が付された複数の表示項目を記憶する項目記憶手段によって記憶されている表示項目のうち、所定の数の表示項目を表示する項目表示機能と、 
前記表示画面に現在表示されている表示項目以外の表示項目である新表示項目を表示する場合、前記表示画面を新表示項目の表示位置に基づいて部分的に書き替え、新表示項目及び新表示項目と新表示項目が表示される以前に表示されていた表示項目との境界を示すマークとを前記表示画面に表示する項目表示書き換え機能と、を備え、 
前記項目表示書き換え機能は、前記項目記憶手段に記憶されている表示項目のうち最下位の順位が付された表示項目が表示されている場合と、最下位の順位が付された表示項目が表示されていない場合とで前記マークの形状を異ならしめることを特徴とする画像表示制御プログラム。
【手続補正２】
【補正対象書類名】明細書
【補正対象項目名】発明の名称
【補正方法】変更
【補正の内容】
【発明の名称】画像表示装置及び画像表示制御プログラム
【手続補正３】
【補正対象書類名】明細書
【補正対象項目名】０００１
【補正方法】変更
【補正の内容】
【０００１】
本発明は、画像表示装置及び画像表示制御プログラムに係り、特に表示可能なコンテンツのメニューを表示する機能を持った画像表示装置及び画像表示制御プログラムに関する。 
【手続補正４】
【補正対象書類名】明細書
【補正対象項目名】０００６
【補正方法】変更
【補正の内容】
【０００６】
本発明は、このような点に鑑みてなされたものであって、記憶性液晶を使ったディスプレイにあっても充分な応答性が得られ、しかも画面に表示された表示項目の順番やさらに表示可能な表示項目を直感的に判断し易くて操作性が高い画像表示装置、画像表示制御プログラムを提供することを目的とする。 
【手続補正５】
【補正対象書類名】明細書
【補正対象項目名】０００７
【補正方法】変更
【補正の内容】
【０００７】
以上の課題を解決するため、本発明の画像表示装置は、予め順位が付された複数の表示項目を記憶する項目記憶手段と、前記項目記憶手段によって記憶されている表示項目のうち、所定の数の表示項目を表示する記憶性液晶の表示画面と、前記表示画面に現在表示されている表示項目以外の表示項目である新表示項目を表示する場合、新表示項目の表示位置に基づいて、前記表示画面を部分的に書き替えて新表示項目及び新表示項目と新表示項目が表示される以前に表示されていた表示項目との境界を示すマークを前記表示画面に表示する項目表示手段と、を備え、前記項目表示手段は、前記項目記憶手段に記憶されている表示項目のうち最下位の順位が付された表示項目が表示されている場合と、最下位の順位が付された表示項目が表示されていない場合とで前記マークの形状を異ならしめることを特徴とする。 
【手続補正６】
【補正対象書類名】明細書
【補正対象項目名】０００８
【補正方法】変更
【補正の内容】
【０００８】
このような発明によれば、項目記憶手段に記憶されている表示項目のうち最下位の順位が付された表示項目が表示されている場合と、最下位の順位が付された表示項目が表示されていない場合とで前記マークの形状を異ならしめることができる。このため、表示項目のうち、所定の数の表示項目を表示する複数の画面にあっても、表示されている画面が最後の画面であるか否かを直感的に判別することができる。したがって、画面に表示された表示項目の順番等を直感的に判断し易くて操作性が高い画像表示装置を提供することができる。また、このような構成は、記憶性液晶の表示画面を部分的に書き換えて実現できるので、記憶性液晶を使ったディスプレイにあっても充分な応答性が得られる。 
【手続補正７】
【補正対象書類名】明細書
【補正対象項目名】００１５
【補正方法】変更
【補正の内容】
【００１５】
また、本発明の画像表示制御プログラムは、コンピュータに、予め順位が付された複数の表示項目を記憶する項目記憶手段によって記憶されている表示項目のうち、所定の数の表示項目を表示する項目表示機能と、前記表示画面に現在表示されている表示項目以外の表示項目である新表示項目を表示する場合、前記表示画面を新表示項目の表示位置に基づいて部分的に書き替え、新表示項目及び新表示項目と新表示項目が表示される以前に表示されていた表示項目との境界を示すマークとを前記表示画面に表示する項目表示書き換え機能と、を備え、前記項目表示書き換え機能は、前記項目記憶手段に記憶されている表示項目のうち最下位の順位が付された表示項目が表示されている場合と、最下位の順位が付された表示項目が表示されていない場合とで前記マークの形状を異ならしめることを特徴とする。
【手続補正８】
【補正対象書類名】明細書
【補正対象項目名】００１６
【補正方法】変更
【補正の内容】
【００１６】
このような発明によれば、項目記憶手段に記憶されている表示項目のうち最下位の順位が付された表示項目が表示されている場合と、最下位の順位が付された表示項目が表示されていない場合とで前記マークの形状を異ならしめることができる。このため、記憶されている表示項目のうち、所定の数の表示項目を表示する複数の画面にあっても、表示されている画面が最後の画面であるか否かを直感的に判別することができる。したがって、画面に表示された表示項目の順番等を直感的に判断し易くて操作性が高い画像表示制御プログラムを提供することができる。また、このようなプログラムは、記憶性液晶の表示画面を部分的に書き換えて実現できるので、記憶性液晶を使ったディスプレイにあっても充分な応答性を得ることができる。 
【手続補正９】
【補正対象書類名】明細書
【補正対象項目名】００１７
【補正方法】変更
【補正の内容】
【００１７】
以下、図を参照して本発明の一実施形態にかかる画像表示装置、画像表示制御プログラムを説明する。 
図１は、本実施形態の画像表示装置の外観を示した図である。画像表示装置は、記憶性液晶のディスプレイ１０１を有する薄型のビューアとして構成されている。画像表示装置は、ディスプレイ１０１に表示されている画像をスクロールする、あるいはディスプレイ１０１に表示されているカーソルを移動させる十字キー１０３、現在表示されているページを前ページまたは次ページに改ページするカーソルキー１０２ａ、１０２ｂを備えている。十字キー１０３、カーソルキー１０２ａ、１０２ｂは、指示した操作内容の確定等に使用される確定キー１０４と共に操作部１０５を構成する。 
【手続補正１０】
【補正対象書類名】明細書
【補正対象項目名】００２２
【補正方法】変更
【補正の内容】
【００２２】
ボーダライン１は、ディスプレイ１０１に現在表示されている表題以外の表示項目（新表題）を表示する場合、新表題となる表題と以前に表示されていた表題との境界を示すマークである。図２に示した場合、順位が６位であるまんが１の表題が新表題として表示され、ボーダライン１は、この表題と先に表示されていた順位１の特許１との境界を示している。なお、ボーダラインの詳細については後に述べる。 
【手続補正１１】
【補正対象書類名】明細書
【補正対象項目名】００２６
【補正方法】変更
【補正の内容】
【００２６】
以上の構成は、バスによって相互に接続されていて、バスはバスコントローラ２１０によって制御されている。 
以上述べた構成の画像表示装置において、本実施形態は、メモリカード２０８が予め順位が付された複数の表題を記憶するに項目記憶手段、ディスプレイ１０１がメモリカード
２０８に記憶されている表題のうち、所定の数の表題を表示する記憶性液晶の表示画面として機能する。また、ディスプレイ１０１に現在表示されている表題以外の新表題を表示する場合、ＣＰＵ２０１及び表示装置コントローラ２０４が、この表題の表示位置に基づいて、ディスプレイ１０１を部分的に書き替えて新たな表題及びこの表題と以前に表示されていた表題との境界を示すボーダライン１をディスプレイ１０１に表示する項目表示手段として機能する。 
【手続補正１２】
【補正対象書類名】明細書
【補正対象項目名】００３８
【補正方法】変更
【補正の内容】
【００３８】
そして、図６に示した例のように、１６位の表題が表示されていない場合にはシンボル６０１を含みボーダライン１表示する。また、１６位の表題が表示されている場合にはマーカ６０２を含みボーダライン６表示する。 
このような本実施形態によれば、ディスプレイ１０１を部分的に書き替えた場合にも現在メニュー画面の最終ページが表示されていることをユーザが直感的に認識することができる。このため、さらに下位の表題を表示させるための不要な操作あるいは誤操作を防止し、画像表示装置の操作性を高めることができる。 
（上スクロール） 
図７（ａ）に示すように、マーカ６０２が表示され、かつカーソル２が最下位の表題である１６位の表題を指し示している場合、ユーザがカーソル２を上方向にのみ移動できる（図７（ｂ））。また、カーソル２をさらに上方向に移動させた場合、カーソル２は、ボーダライン６より下に移動してボーダライン６下の表題を指し示す（図７（ｃ））。そして、ボーダライン６より下の画面において上スクロールがなされ、新表題として１０位の表題がボーダライン６に代えて表示される。 
【手続補正１３】
【補正対象書類名】明細書
【補正対象項目名】００４３
【補正方法】変更
【補正の内容】
【００４３】
図９は、本実施形態の複数ページ表示処理を説明するためのフローチャートである。この処理では、先ず、表示装置コントローラ２０４が、ＣＰＵ２０１の指示によってメニュー画面の初期画面を表示する（Ｓ９０１）。初期画面の表示により、操作部１０５が、ユーザのキー入力を受付可能な状態に入る。そして、入力されたキーによってカーソルの上または下への移動（Ｓ９０３）、（Ｓ９０４）、ページ送り（Ｓ９０５）、ページ戻り（Ｓ９０６）、選択されるメニュー等の決定（Ｓ９０７）、キャンセル（Ｓ９０８）等の処理を実行する。 
顕著となる。 
【手続補正１４】
【補正対象書類名】明細書
【補正対象項目名】００５８
【補正方法】変更
【補正の内容】
【００５８】
また、本実施形態は、ボーダライン１、６の表示位置を変更することによって新たに指
定された表示された表題と先に表示されていた表題との境界を示すことができる。このため、メニュー画面の一部だけを書き換えたことによって表題の順位の順位が不連続になることによって起こる不自然さを解消している。 
図９ないし図１４のフローチャートで示した本実施形態の画像表示制御プログラムは、インストール可能な形式または実行可能な形式のファイルでＣＤ−ＲＯＭ、フロッピー（登録商標）ディスク（ＦＤ）、ＤＶＤ等のコンピュータで読み取り可能な記録媒体に記録されて提供されても良い。また、本実施形態の画像表示制御プログラムを、インターネット等のネットワークに接続されたコンピュータ上に格納し、ネットワーク経由でダウンロードさせることにより提供するように構成しても良い。また予めマスクＲＯＭやＰ２ＲＯＭ、ＦＬＡＳＨＲＯＭに格納されていても良い。 
【手続補正１５】
【補正対象書類名】明細書
【補正対象項目名】００５９
【補正方法】変更
【補正の内容】
【００５９】
以上述べた本実施形態によれば、記憶されている表示項目のうち、所定の数の表示項目を表示する複数の画面にあっても、表示されている画面が最後の画面であるか否かを直感的に判別することができる。したがって、画面に表示された表示項目の順番等を直感的に判断し易くし、画像表示装置の操作性を高めることができる。また。記憶性液晶のディスプレイを部分的に書き換えることによって記憶性液晶のディスプレイにあってもメニュー画面のスクロールに充分な応答性を得ることができる。
【手続補正１６】
【補正対象書類名】図面
【補正対象項目名】図２
【補正方法】変更
【補正の内容】
【図２】
2007004223.tif 000001